(57)【要約】【課題】発電量が不安定な発電システムの稼働率を上げると共に、該発電システムで発電された電力を効率利用することのできる技術を提供する。【解決手段】需要家毎に、開閉器３１２を供給非保証電力対象負荷３３ｂに対する電力ラインｂに設置し、これを売電家の遠隔制御装置１に接続する。売電家の遠隔制御装置１には、供給非保証発電家の予想発電量と、全需要家の供給非保証電力対象負荷３３ｂに対する予想電力需要量とが記憶される。そして、遠隔制御装置１は、供給非保証発電家の予想発電量と、全需要家の供給非保証電力対象負荷３３ｂに対する予想電力需要量とを比較し、全需要家の供給非保証電力対象負荷３３ｂに対する予想電力需要量が供給非保証発電家の予想発電量よりも大きい場合に、全需要家の供給非保証電力対象負荷３３ｂに対する予想電力需要量が発電家の予想発電量以下となるように電力供給遮断先の需要家を選定し、選定した需要家の開閉器３１２を開かせて電力ラインｂへの電力供給を遮断する。【選択図】図１
2006352933.tif 000002
【特許請求の範囲】
【請求項１】
コンピュータが、電力系統から各需要家への電力供給を制御する電力供給制御方法であって、
前記コンピュータは、
ネットワークを介して、需要家毎に設けられた開閉器各々と接続されており、
前記開閉器は、
前記コンピュータからの制御命令に従い、前記電力系統と自開閉器が設置された需要家の所定の電力供給ラインとの間の接続を開閉し、
前記コンピュータの記憶装置には、
前記電力系統に電力を供給する発電家の予想発電量と、全需要家の予想電力需要量とが記憶されており、
前記コンピュータの演算装置は、
前記記憶装置に記憶されている発電家の予想発電量と、全需要家の予想電力需要量とを比較する比較ステップと、
前記比較の結果、全需要家の予想電力需要量が発電家の予想発電量よりも大きい場合に、全需要家の予想電力需要量が発電家の予想発電量以下となるように、電力供給遮断先の需要家を選定する選定ステップと、
前記選定された需要家各々の開閉器に制御命令を送信して、当該開閉器を開操作することにより、前記選定された需要家各々の所定の電力供給ラインへの電力供給を遮断する遮断ステップと、を行うこと
を特徴とする電力供給制御方法。
【請求項２】
請求項１に記載の電力供給制御方法であって、
各需要家は、
複数のランクの何れかに属しており、
前記コンピュータの記憶装置には、
前記複数のランク毎に、当該ランクに属する各需要家の許容される遮断時間の残存時間が記憶されており、
前記コンピュータの演算装置は、前記選定ステップにおいて、
全需要家の予想電力需要量と発電家の予想発電量との差分である不足電力量のうち、前記複数のランク各々に割り当てる電力量を、前記複数のランク各々に割り当てられた比率に応じて決定するステップと、
前記複数のランク毎に、当該ランクに属する需要家の中から、前記記憶装置に記憶されている残存時間の多い順に需要家を、前記記憶装置に記憶されている当該需要家の予想電力需要量の合計が当該ランクに割り当てられた電力量となるまで選択し、選択した需要家各々を電力供給遮断先の需要家を選定するステップと、を行うこと
を特徴とする電力供給制御方法。
【請求項３】
請求項１又は２に記載の電力供給制御方法であって、
需要家毎に、前記電力系統を複数の電力供給ラインに分配する分配器と、前記分配器により分配された第１の電力供給ラインと前記所定の電力供給ラインとの間の接続を制御する前記開閉器と、前記所定の電力供給ラインへの電力供給を前記第１の電力供給ラインから前記分配器により分配された第２の電力供給ラインに切替える切替器と、を有し、
前記コンピュータは、
前記ネットワークを介して、需要家毎に設けられた前記開閉器および前記切替器各々と接続されており、
前記コンピュータの演算装置は、前記遮断ステップにおいて、
前記選定された需要家各々の端末から、前記所定の電力供給ラインへの電力供給を遮断するか否かの指示を前記ネットワークを介して受け付けるステップと、
前記選定された需要家のうち、前記所定の電力供給ラインへの電力供給を遮断する旨の指示を受け付けた需要家各々に対しては、当該需要家の開閉器に制御命令を送信して、当該開閉器を開操作することにより、前記選定された需要家各々の所定の電力供給ラインへの電力供給を遮断し、前記所定の電力供給ラインへの電力供給を遮断しない旨の指示を受け付けた需要家各々に対しては、当該需要家の切替器に制御命令を送信して、当該切替器を切替操作することにより、前記所定の電力供給ラインへの電力供給を、前記第１の電力供給ラインから前記第２の電力供給ラインへ切り替えるステップと、を行うこと
を特徴とする電力供給制御方法。
【請求項４】
電力系統から各需要家への電力供給を制御する電力供給制御システムであって、
需要家毎に設けられた開閉器と、ネットワークを介して前記開閉器各々と接続された遠隔制御装置と、を有し、
前記開閉器は、
前記遠隔制御装置からの制御命令に従い、前記電力系統と自開閉器が設置された需要家の所定の電力供給ラインとの間の接続を開閉し、
前記遠隔制御装置は、
前記電力系統に電力を供給する発電家の予想発電量と、全需要家の予想電力需要量とを記憶する記憶手段と、
前記記憶装置に記憶されている発電家の予想発電量と、全需要家の予想電力需要量とを比較し、該比較の結果、全需要家の予想電力需要量が発電家の予想発電量よりも大きい場合に、全需要家の予想電力需要量が発電家の予想発電量以下となるように、電力供給遮断先の需要家を選定する選定手段と、
前記選定された需要家各々の開閉器に制御命令を送信して、当該開閉器を開操作することにより、前記選定された需要家各々の所定の電力供給ラインへの電力供給を遮断する制御命令送信手段と、を有すること
を特徴とする電力供給制御システム。
【請求項５】
電力系統から各需要家への電力供給を制御する遠隔制御装置であって、
需要家毎に設けられた、制御命令に従って前記電力系統および需要家の所定の電力供給ラインとの間の接続を開閉する開閉器と、ネットワークを介して接続する接続手段と、
前記電力系統に電力を供給する発電家の予想発電量と、全需要家の予想電力需要量とを記憶する記憶手段と、
前記記憶装置に記憶されている発電家の予想発電量と、全需要家の予想電力需要量とを比較し、該比較の結果、全需要家の予想電力需要量が発電家の予想発電量よりも大きい場合に、全需要家の予想電力需要量が発電家の予想発電量以下となるように、電力供給遮断先の需要家を選定する選定手段と、
前記選定された需要家各々の開閉器に制御命令を送信して、当該開閉器を開操作することにより、前記選定された需要家各々の所定の電力供給ラインへの電力供給を遮断する制御命令送信手段と、を有すること
を特徴とする遠隔制御装置。
【請求項６】
電力系統から各需要家への電力供給を制御するための、コンピュータで読み取り可能なプログラムであって、
前記コンピュータは、
ネットワークを介して、需要家毎に設けられた開閉器各々と接続されており、
前記開閉器は、
前記コンピュータからの制御命令に従い、前記電力系統と自開閉器が設置された需要家の所定の電力供給ラインとの間の接続を開閉し、
前記コンピュータの記憶装置には、
前記電力系統に電力を供給する発電家の予想発電量と、全需要家の予想電力需要量とが記憶されており、
前記プログラムは、前記コンピュータの演算装置に、
前記記憶装置に記憶されている発電家の予想発電量と、全需要家の予想電力需要量とを比較する比較ステップと、
前記比較の結果、全需要家の予想電力需要量が発電家の予想発電量よりも大きい場合に、全需要家の予想電力需要量が発電家の予想発電量以下となるように、電力供給遮断先の需要家を選定する選定ステップと、
前記選定された需要家各々の開閉器に制御命令を送信して、当該開閉器を開操作することにより、前記選定された需要家各々の所定の電力供給ラインへの電力供給を遮断する遮断ステップと、を行わせること
を特徴とするコンピュータで読み取り可能なプログラム。
【発明の詳細な説明】
【技術分野】
【０００１】
本発明は、発電家が発電した電力の各需要家への供給を制御する技術に関する。
【背景技術】
【０００２】
特許文献１には、電力系統の需給バランス、供給予備率といった電力系統の運転状況を考慮して自己の消費する電力を調整する負荷電力調整装置が開示されている。この負荷電力調整装置は、需要家に設置され、複数の区分された負荷を有し、そのうちの一つの負荷が電力供給側の電力系統運用状況に応じて制御され、供給予備率低下の条件によって適宜解放される。この負荷電量調整装置により、需要家は、電力会社と負荷の性質に応じた質の異なる電力供給ラインに対して契約することで安価な電力を得ることができ、電力会社側は、自己の都合で電力供給の一部を制限することができ電力需給バランスに貢献させることができる。
【０００３】
【特許文献１】特開平５−８３８５４号公報
【発明の開示】
【発明が解決しようとする課題】
【０００４】
特許文献１に記載の負荷電力調整装置は、複数の区分された負荷のうちの一つを電力供給側の電力系統運用状況に応じて制御し、供給予備率低下の条件によって適宜解放する。しかし、他の需要家の電力需要状況（他の需要家に設置された負荷電力調整装置の動作状況）を考慮していない。近年、風力発電や太陽光発電といった環境面を考慮した発電システムが提案されている。これらの発電システムは、天気に左右され易く、このため電力を需要家に安定的に供給することが困難である。このような発電システムの稼動率を上げると共に該発電システムで発電された電力を効率利用するためには、該発電システムが発電する電力の変動に併せて、各需要家の負荷を統括制御する必要がある。
【０００５】
本発明は上記事情に鑑みてなされたものであり、本発明の目的は発電量が不安定な発電システムの稼働率を上げると共に、該発電システムで発電された電力を効率利用することのできる技術を提供することにある。
【課題を解決するための手段】
【０００６】
上記課題を解決するために、本発明は、需要家毎に、遠隔制御可能な開閉器を所定の電力供給ラインに設置し、これを遠隔制御装置に接続する。遠隔制御装置には、発電家の予想発電量と、全需要家の予想電力需要量とが記憶される。そして、遠隔制御装置は、発電家の予想発電量と、全需要家の予想電力需要量とを比較し、全需要家の予想電力需要量が発電家の予想発電量よりも大きい場合に、全需要家の予想電力需要量が発電家の予想発電量以下となるように、電力供給遮断先の需要家を選定し、選定した需要家の開閉器を開かせて、所定の電力供給ラインへの電力供給を遮断する。
【０００７】
例えば、本発明は、コンピュータが、電力系統から各需要家への電力供給を制御する電力供給制限方法であって、
前記コンピュータは、ネットワークを介して、需要家毎に設けられた開閉器各々と接続されており、
前記開閉器は、
前記コンピュータからの制御命令に従い、前記電力系統と自開閉器が設置された需要家の所定の電力供給ラインとの間の接続を開閉し、
前記コンピュータの記憶装置には、
前記電力系統に電力を供給する発電家の予想発電量と、全需要家の予想電力需要量とが記憶されており、
前記コンピュータの演算装置は、
前記記憶装置に記憶されている発電家の予想発電量と、全需要家の予想電力需要量とを比較する比較ステップと、
前記比較の結果、全需要家の予想電力需要量が発電家の予想発電量よりも大きい場合に、全需要家の予想電力需要量が発電家の予想発電量以下となるように、電力供給遮断先の需要家を選定する選定ステップと、
前記選定された需要家各々の開閉器に制御命令を送信して、当該開閉器を開操作することにより、前記選定された需要家各々の所定の電力供給ラインへの電力供給を遮断する遮断ステップと、を行う。
【発明の効果】
【０００８】
本発明によれば、遠隔制御装置が、発電家の予想発電量と、全需要家の予想電力需要量とを比較し、全需要家の予想電力需要量が発電家の予想発電量よりも大きい場合に、全需要家の予想電力需要量が発電家の予想発電量以下となるように、電力供給遮断先の需要家を選定し、選定した需要家の開閉器を開かせて、所定の電力供給ラインへの電力供給を遮断する。したがって、発電量が不安定な発電家の発電システムの稼働率を上げると共に、該発電システムで発電された電力を効率利用することができる。
【発明を実施するための最良の形態】
【０００９】
以下に、本発明の実施の形態を説明する。
【００１０】
図１は本発明の一実施形態が適用された電力供給制御システムの概略図である。
【００１１】
図１において、売電家は、各需要家と、供給保証された電力の供給契約（第１の保証供給契約と呼ぶ）および供給保証されていない電力の供給契約（第１の非保証供給契約）を結んでいる。第１の保証供給契約に基づく電力は、原則、工場のラインなどの電力を安定的に供給する必要性の高い需要家の負荷である供給保証電力対象負荷３３ａに供給される。一方、第１の非保証供給契約に基づく電力は、休憩所などの電力を安定的に供給する必要性の小さい需要家の負荷である供給非保証電力対象負荷３３ｂに供給される。
【００１２】
また、売電家は、火力発電プラント、原子力発電プラント等の、電力を安定供給可能な発電プラント２１ａを運営する発電家である少なくとも一人の供給保証発電家と、契約電力量が保証されている電力の供給契約（第２の保証供給契約と呼ぶ）を結んでいる。ここで、第２の保証供給契約による契約電力量の総量は、各需要家と結んだ第１の保証供給契約の総電力量よりも大きい。
【００１３】
また、売電家は、風力発電プラント、太陽光発電プラント等の、安定して電力を供給することが困難な発電プラント２１ｂを運営する発電家である少なくとも一人の供給非保証発電家と、契約電力量が保証されていない電力の供給契約（第２の非保証供給契約と呼ぶ）を結んでいる。ここで、第２の非保証供給契約による契約電力量の総量は、各需要家と結んだ第１の非保証供給契約の総電力量よりも大きい。
【００１４】
さて、本実施形態の電力供給制御システムは、需要家毎に設けられた切替システム３１、通信機器３２および端末３４と、発電家毎に設けられた端末２２と、売電家の遠隔制御装置１と、を有する。遠隔制御装置１、端末２２および通信機器３２は、インターネットなどのネットワーク５を介して互いに接続されいる。
【００１５】
切替システム３１は、図１に示すように、分配器３１１と、開閉器３１２と、切替器３１３と、第１電力計３１４と、第２電力計３１５と、を有する。
【００１６】
分配器３１１は、当該分配器３１１が設置された需要家の宅内に、発電プラント２１ａ、２１ｂで発電された電力を送電するための電力系統４に接続し、電力系統４からの電力ラインを２つに分配する。２つに分配された一方の電力ラインａは供給保証電力対象負荷３３ａと接続し、他方の電力ラインｂは開閉器３１２を介して切替器３１３と接続する。
【００１７】
開閉器３１２は、後述する通信機器３２を介して受信した制御命令に従い、分配器３１１と切替器３１３との間の電力ラインｂを解放・短絡する。これにより、電力ラインｂによる電力の供給・遮断を制御する。また、開閉部３１２は、電力ラインｂを解放している期間中、第２電力計３１５に計測非採用信号を送信する。
【００１８】
切替器３１３は、供給非保証電力対象負荷３３ｂと接続する。また、電力ラインａおよび電力ラインｂと接続する。そして、後述する通信機器３２を介して受信した制御命令に従い、供給非保証電力対象負荷３３ｂに供給する電力を電力ラインａおよび電力ラインｂのいずれか一方に切り替える。なお、切替器３１３は、初期状態では電力ラインｂからの電力を供給非保証電力３３ｂに供給するように設定されていものとする。また、切替部３１３は、供給非保証電力３３ｂに供給する電力を電力ラインａに切り換えている期間中、第１電力計３１４、第２電力計３１５に計測非採用信号を送信する。
【００１９】
第１電力計３１４は、電力ラインａを介して供給される電力量を計測する。切替器３１３が電力ラインｂを選択している場合は、供給保証電力対象負荷３３ａに供給される電力の電力量が計測され、電力ラインａを選択している場合は、供給保証電力対象負荷３３ａに供給される電力の電力量と供給非保証電力対象負荷３３ｂに供給される電力の電力量との合計が計測されることになる。なお、第１電力計３１４は、切替器３１３から計測非採用信号を受信中に計測された電力量の計測データを通信機器３２に送信する場合、当該計測データの代わりにヌルデータを送信する。
【００２０】
第２電力計３１５は、電力ラインｂを介して供給される電力を計測する。切替器３１３が電力ラインｂを選択している場合は、供給非保証電力対象負荷３３ｂに供給される電力の電力量が計測されることになる。なお、本実施形態において、第２電力計３１５は、開閉器３１２または切替器３１３から計測非採用信号を受信中に計測された電力量の計測データを通信機器３２に送信する場合、当該計測データの代わりにヌルデータを送信する。
【００２１】
通信機器３２は、ネットワーク５を介して遠隔制御装置１から制御命令を受信し、当該命令を宛先の開閉器３１２あるいは切替器３１３に送信する。また、通信機器３２は、ネットワーク５を介して遠隔制御装置１からメッセージを受信し、当該メッセージを端末３４に送信すると共に、端末３４から受信した当該メッセージに対する応答を、ネットワーク５を介して遠隔制御装置１に送信する。
【００２２】
また、通信機器３２は、定期的に、第１電力計３１４および第２電力計３１５から電力量の計測値を取得する。第１電力計３１４および第２電力計３１５のそれぞれについて、前回取得した計測値と今回取得した計測値との差分、つまり、前回の取得タイミングから今回の取得タイミングまでの期間（計測期間）に、第１電力計３１４および第２電力計３１５のそれぞれで計測された電力量を算出する。そして、需要家の識別情報である需要家ＩＤ、計測期間、当該計測期間に第１電力計３１４で計測された電力量、および、当該計測期間に第２電力計３１５で計測された電力量を含む計測データを生成し、これをネットワーク５を介して遠隔制御装置１に送信する。但し、今回もしくは前回、第１電力計３１４から取得した計測値がヌルデータの場合は、遠隔制御装置１に送信する計測データに含める第１電力計３１４の電力量をヌルデータとする。同様に、今回もしくは前回、第２電力計３１５から取得した計測値がヌルデータの場合は、遠隔制御装置１に送信する計測データに含める第２電力計３１５の電力量をヌルデータとする。
【００２３】
端末３４は、通信機器３２を介して遠隔制御装置１から受信したメッセージを表示し、ユーザである需要家から該メッセージに示された問合せに対する応答を受け付ける。そして、受け付けた応答を通信機器３２を介して遠隔制御装置１に送信する。
【００２４】
端末２２は、ユーザである発電家の指示に従い、当該発電家の識別情報である発電家ＩＤと、計画期間と、当該発電家が運営する発電プラント２１ａ、２１ｂの当該計画期間における予想発電量とを含む発電計画データを、ネットワーク５を介して遠隔制御装置１に送信する。なお、本実施形態において、各発電家は、定期的に（例えば毎日）、所定の計画期間の発電計画データ（例えば明日の発電計画データ）を、端末２２を使って遠隔制御装置１に送信するものとする。
【００２５】
遠隔制御装置１は、ネットワーク５を介して各需要家の通信機器３２から受信した第２電力計３１５の計測データを用いて、全需要家の供給非保証電力対象負荷３３ｂの総予想電力需要量を推定する。そして、この予想電力需要量と、ネットワーク５を介して供給非保証発電家の端末２２から受信した発電計画データが示す供給非保証電力の予想発電量とを比較し、総予想電力需要量が供給非保証電力の予想発電量よりも大きい場合に、総予想電力需要量が供給非保証電力の予想発電量以下となるように、所定のルールに従って電力供給遮断先の需要家を選定する。次に、遠隔制御装置１は、選定した需要家各々に対して、通信機器３２に開閉器３１２の制御命令を送信して、開閉器３１２を解放させ、電力ラインｂによる供給非保証電力対象負荷３３ｂへの電力供給を遮断する。ここで、所定のルールには、複数のランクを設けて各需要家をいずれかのランクに所属させ、ランク間で各需要家の許容遮断時間を異ならせると共に、同じランク内の各需要家の遮断時間（実績）が略同じになるようにするルールを採用する。
【００２６】
図２は、遠隔制御装置１の概略構成図である。
【００２７】
図示するように、本実施形態の遠隔制御装置１は、演算部１００と、記憶部１２０と、キーボード、ディスプレイ、ＣＤ-ＲＯＭドライブ等の周辺装置と情報の入出力を行なう入出力部１４０と、ネットワーク５に接続するためのネットワークＩＦ（インターフェース）部１６０と、を有する。
【００２８】
記憶部１２０は、発電家契約データ記憶部１２１と、需要家契約データ記憶部１２２と、電力量計測データ記憶部１２３と、発電計画データ記憶部１２４と、制御状態管理データ記憶部１２５と、遮断時間管理データ記憶部１２６と、を有する。
【００２９】
発電家契約データ記憶部１２１には、発電家毎に、売電家が当該発電家と契約した電力の供給契約の契約内容を示す契約データが記憶されている。図３は、売電家契約データ記憶部１２１の登録内容例を示す図である。図示するように、発電家毎に契約データのレコード１２１０が登録されている。レコード１２１０は、レコードの識別情報である発電家ＩＤを登録するフィールド１２１１と、発電家の名称、住所、連絡先等の発電家情報を登録するフィールド１２１２と、発電家と結んだ電力供給契約の契約種別を登録するフィールド１２１３と、該電力供給契約の契約電力量を登録するフィールド１２１４と、該電力供給契約の契約料金を登録するフィールド１２１５と、を有する。フィールド１２１３に登録される契約種別には、契約電力量が保証される第２の保証供給契約および契約電力量が保証されない第２の非保証供給契約のいずれかが登録される。また、フィールド１２１５に登録される料金は、基本料金、使用料金および契約電力量の超過分に課金される超過料金が登録される。なお、第２の非保証供給契約の料金は、契約電力量が保証されていないため、第２の保証供給契約に比べて安価に設定されている。
【００３０】
需要家契約データ記憶部１２２には、需要家毎に、当該需要家が売電家と契約した電力の供給契約の契約内容を示す契約データが記憶されている。図４は、需要家契約データ記憶部１２２の登録内容例を示す図である。図示するように、需要家毎に契約データのレコード１２２０が登録されている。レコード１２２０は、レコードの識別情報である需要家ＩＤを登録するフィールド１２２１と、需要家の名称、住所、宛先等の需要家情報を登録するフィールド１２２２と、需要家と締結した第１の保証供給契約の契約内容を登録するフィールド１２２３と、需要家と締結した第１の非保証供給契約の契約内容を登録するフィールド１２２４と、を有する。フィールド１２２３は、契約電力量を登録するサブフィールド１２２３１と、基本料金、使用料金および契約電力量の超過分に課金される超過料金を含む契約料金を登録するサブフィールド１２２３２と、を有する。また、フィールド１２２４は、契約電力量を登録するサブフィールド１２２４１と、契約ランクを登録するサブフィールド１２２４２と、基本料金、使用料金および契約電力量の超過分に課金される超過料金を含む契約料金を登録するサブフィールド１２２４３と、を有する。本実施形態において、第１の非保証供給契約は、契約ランクに応じて単位期間当たりの遮断時間の許容量が異なる。例えば、契約ランク１の場合の許容遮断時間を１０時間／月とし、契約ランク２の場合の許容遮断時間を３０時間／月とし、契約ランク３の場合の許容遮断時間を５０時間／月とし、そして契約ランク４の場合の許容遮断時間を無制限とする。
【００３１】
電力量計測データ記憶部１２３には、需要家毎に、当該需要家で需要された電力量の計量データが記憶される。図５は、電力量計測データ記憶部１２３の登録内容例を示す図である。図示するように、需要家毎にテーブル１２３５が記憶されており、各テーブル１２３５には電力量の計量データのレコード１２３０が登録される。レコード１２３０は、計測期間を登録するフィールド１２３１と、当該計測期間における第１電力計３１４の計測データを登録するフィールド１２３２と、当該計測期間における第２電力計３１５の計測データを登録するフィールド１２３４と、を有する。
【００３２】
発電計画データ記憶部１２４には、発電家毎に、予想発電量を示す発電計画データが記憶される。図６は、発電計画データ記憶部１２４の登録内容例を示す図である。図示するように、発電家毎にテーブル１２４５が記憶されており、各テーブル１２４５には発電計画データのレコード１２４０が登録される。レコード１２４０は、計画期間を登録するフィールド１２４１と、当該計画期間における予想発電量を登録するフィールド１２４２と、を有する。
【００３３】
制御状態管理データ記憶部１２５は、需要家毎に、切替システム３１の制御状態を管理するための制御状態管理データが記憶される。図７は、制御状態管理データ記憶部１２５の登録内容例を示す図である。図示するように、需要家毎にテーブル１２５５が記憶されており、各テーブル１２５５には制御状態管理データのレコード１２５０が登録される。レコード１２５０は、制御予定日時を登録するフィールド１２５１と、当該予定日時に制御予定の制御対象機器を登録するフィールド１２５２と、当該制御対象機器に対する制御内容を登録するフィールド１２５３と、このレコード１２５０に基づいた制御の実施の有無を登録するフィールド１２５４と、を有する。フィールド１２５２には、制御対象機器として、開閉器３１２又は切替器３１３が登録される。また、フィールド１２５３には、制御内容として、制御対象機器が開閉器３１２の場合は電力ラインｂの開閉操作が登録され、制御対象機器が切替器３１３の場合は電力ラインａまたは電力ラインｂの選択操作が登録される。
【００３４】
遮断時間管理データ記憶部１２６は、契約ランク毎に、当該ランクの第１非保証契約を締結した需要家の遮断時間データが記憶される。図８は、遮断時間管理データ記憶部１２６の登録内容例を示す図である。図示するように、契約ランク毎にテーブル１２６５が記憶されており、各テーブル１２６５には対応する契約ランクの第１非保証契約を締結した各需要家の遮断時間データのレコード１２６０が登録される。レコード１２６０は、需要家ＩＤを登録するフィールド１２６１と、許容される遮断時間の残存時間（残り遮断時間）を登録するフィールド１２６２と、を有する。なお、フィールド１２６２に登録される残り遮断時間は、第１非保証契約で定まる単位期間を経過する毎に、デフォルト値にリセットされる。
【００３５】
次に、演算部１００は、電力量計測データ取得部１０１と、発電計画データ取得部１０２と、予想電力需要量算出部１０３と、遮断先選定部１０４と、制御内容決定部１０５と、制御命令送信部１０６と、を有する。
【００３６】
電力量計測データ取得部１０１は、各需要家の通信機器３２が送信する電力量の計測データを、ネットワークＩＦ部１６０を介して受信する。そして、受信した電力量の計測データを電力量計測データ記憶部１２３に登録する。
【００３７】
図９は、電力量計測データ取得部１０１の動作フローを説明するための図である。
【００３８】
電力量計測データ取得部１０１は、ネットワークＩＦ部１６０を介していずれかの通信機器３２から計測データを受信すると（Ｓ１０１）、当該計測データに含まれている需要家ＩＤを持つテーブル１２３５を電力量計測データ記憶部１２３から検索し、検索したテーブル１２３５に新たなレコード１２３０を追加する（Ｓ１０２）。そして、当該計測データに含まれている計測期間、第１電力計３１４の計測値および第２電力計３１５の計測値を、追加レコード１２３０のフィールド１２３１、１２３２、１２３３にそれぞれ登録する（Ｓ１０３）。
【００３９】
発電計画データ取得部１０２は、各発電家の端末２２が送信する発電計画データを、ネットワークＩＦ部１６０を介して受信する。そして、受信した発電計画データを発電計画データ記憶部１２４に登録する。
【００４０】
図１０は、電力量計測データ取得部１０２の動作フローを説明するための図である。
【００４１】
発電計画データ取得部１０２は、ネットワークＩＦ部１６０を介していずれかの端末２２から発電計画データを受信すると（Ｓ２０１）、当該計画データに含まれている発電家ＩＤを持つテーブル１２４５を発電計画データ記憶部１２４から検索し、検索したテーブル１２４５に新たなレコード１２４０を追加する（Ｓ２０２）。そして、当該計画データに含まれている計画期間および予想発電量を、追加レコード１２４０のフィールド１２４１、１２４２にそれぞれ登録する（Ｓ２０３）。
【００４２】
図２に戻って説明を続ける。予想電力需要量算出部１０３は、電力量計測データ記憶部１２３に記憶されている各需要家の電力量計測データを用いて、各需要家の指定期間（例えば８時間後を開始点とし、１６時間後を終了点とする８時間）における供給非保証電力対象負荷３３ｂに対する予想電力需要量を算出する。ここで、指定期間は、ユーザである売電家が入出力部１４０を介して設定してもよいし、あるいは、予想電力需要部１０３が、定期的に自動生成してもよい。
【００４３】
図１１は、予想電力需要量算出部１０３の動作フローを説明するための図である。
【００４４】
先ず、予想電力需要量算出部１０３は、電力量計測データ記憶部１２３から未注目のテーブル１２３５を検索し、これを注目テーブル１２３５とする（Ｓ３０１）。
【００４５】
次に、予想電力需要量算出部１０３は、注目テーブル１２３５を用いて、計測期間と第２電力計３１５の計測値との対応関係を示す推移グラフ（関数）を生成する（Ｓ３０２）。例えば、少なくとも指定期間と該指定期間直前の計測期間とを含む複数の連続する計測期間各々における過去の第２電力計３１５の計測値（但しヌルデータは除く）平均を算出する。指定期間が４月８日の場合、前年以前の４月８日における第２電力計３１５の計測値平均と、前年以前の４月７日における第２電力計３１５の計測値平均とを算出する。そして、この２つの連続する計測期間（４月７日、４月８日）各々における過去の第２電力計３１５の計測値平均の推移を示すグラフを算出する。
【００４６】
それから、予想電力需要量算出部１０３は、生成した推移グラフから指定期間の予想電力需要量を算出する（Ｓ３０３）。例えば、指定期間が４月８日の場合、注目テーブル１２３５に登録されている該指定期間直前の計測期間（今年の４月７日）のレコード１２３０の第２電力計３１５の計測値と、該推移グラフが示す前年以前の該指定期間直前の計測期間（前年以前の４月７日）における第２電力計３１５の計測値平均との差分を求める。そして、求めた差分を、該推移グラフが示す前年以前の該指定期間（前年以前の４月８日）における第２電力計３１５の計測値平均に加算し、その加算結果を該指定期間（今年の４月８日）における供給非保証電力対象負荷３３ｂに対する予想電力需要量とする。
【００４７】
次に、予想電力需要量算出部１０３は、算出した予想電力需要量を注目テーブル１２３５の需要家ＩＤに対応付けてメモリ等に一次記憶する（Ｓ３０４）。
【００４８】
さて、予想電力需要量算出部１０３は、電力量計測データ記憶部１２３に記憶されている全てのテーブル１２３５に注目したならば（Ｓ３０５でＹＥＳ）、Ｓ３０６に進み、そうでないならば（Ｓ３０５でＮＯ）、Ｓ３０１に戻る。
【００４９】
Ｓ３０６において、予想電力需要量算出部１０３は、Ｓ３０４で算出した全ての需要家ＩＤが対応付けられている予想電力需要量を、指定期間と共に、遮断先選定部１０４に出力し、このフローを終了する。
【００５０】
図２に戻って説明を続ける。遮断先選定部１０４は、全需要家の指定期間における供給非保証電力対象負荷３３ｂに対する予想電力需要量の総量と、全供給非保証発電家の指定期間における予想発電量とを比較して、第１の非保証供給契約による需要家への電力供給遮断の必要性を判断する。そして、遮断の必要性ありと判断した場合に、第１の非保証供給契約による電力供給を遮断する需要家を選定する。
【００５１】
図１２および図１３は、遮断先選定部１０４の動作フローを説明するための図である。このフローは、予想電力需要算出部１０３から指定期間および各需要家の予想電力需要量を受け取ることで開始される。
【００５２】
先ず、遮断先選定部１０４は、予想電力需要算出部１０３より受け取った各需要家の予想電力需要量の合計値Ｎを算出する（Ｓ４０１）。また、変数Ｍを０に設定する（Ｓ４０２）。次に、遮断先選定部１０４は、フィールド１２１３の契約種別が第２非保証供給契約のレコード１２１０であって未注目のレコード１２１０を発電家契約データ記憶部１２１から検索し、これを注目レコード１２１０とする（Ｓ４０３）。それから、注目レコード１２１０のフィールド１２１１に登録されている発電家ＩＤを持つテーブル１２４５を発電計画データ記憶部１２４から検索し（Ｓ４０４）、検索したテーブル１２４５からフィールド１２４１に指定期間が登録されているレコード１２４０を特定する。そして、特定したレコード１２４０のフィールド１２４２に登録されている予想発電量を変数Ｍに加算する（Ｓ４０５）。
【００５３】
さて、遮断先選定部１０４は、発電家契約データ記憶部１２１に記憶されている、フィールド１２１３の契約種別が第２非保証供給契約の全てのレコード１２１０に注目したか否かを判断する。注目しているならば（Ｓ４０６でＹＥＳ）、Ｓ４０７に進む。一方、注目していないならば（Ｓ４０６でＮＯ）、Ｓ４０３に戻る。
【００５４】
Ｓ４０７において、遮断先選定部１０４は、Ｍ＞Ｎであるか否かを判断する。Ｍ＞Ｎである場合（Ｓ４０７でＹＥＳ）、指定期間における全需要家の供給非保証電力対象負荷３３ｂに対する予想電力需要量を、指定期間における全供給非保証発電家の予想発電量で賄うことができる。この場合はフローを終了する。一方、Ｍ＞Ｎでない場合（Ｓ４０７でＮＯ）、指定期間における全需要家の供給非保証電力対象負荷３３ｂに対する予想電力需要量を、指定期間における全供給非保証発電家の予想発電量で賄うことができない。この場合、いずれかの需要家に対する第１の非保証供給契約による電力供給を遮断する必要がある。そこで、第１の非保証供給契約による電力供給を遮断する需要家を選定するべくＳ４０８に進む。
【００５５】
Ｓ４０８において、遮断先選定部１０４は、遮断時間管理データ記憶部１２６に記憶されている各テーブル１２６５の各レコード１２６０のフィールド１２６２に登録されている残り遮断時間をデフォルト時間にセットしてからの経過時間が、所定時間（第１非保証契約で定まる単位時間）を過ぎたか否かを判断する。経過している場合（Ｓ４０８でＹＥＳ）、テーブル１２６５毎に、当該テーブル１２６５の各レコード１２６０のフィールド１２６２に登録されている残り遮断時間を、当該テーブル１２６５の契約ランクに対応する許容遮断時間にリセットし（Ｓ４０９）、それからＳ４１０に進む。なお、テーブル１２６５の契約ランクに対応する許容遮断時間が無制限の場合は、当該テーブル１２６５の各レコード１２６０のフィールド１２６２に登録されている残り遮断時間を、当該テーブル１２６５のリセット間隔時間（上記の所定時間）に設定する。一方、経過していない場合（Ｓ４０８でＮＯ）は、直ちにＳ４１０に進む。
【００５６】
Ｓ４１０において、遮断先選定部１０４は、不足電力量Ｎ-Ｍ分の第１の非保証供給契約による電力供給を遮断するために、契約ランク各々に割当てる遮断電力量を算出する。このとき、より上位の契約ランク程、割り当てられる遮断電力量が小さくなるようにする。例えば、契約ランクがランク１、ランク２、ランク３およびランク４の４段階とする場合、ランク１の遮断電力量を（Ｎ-Ｍ）／１０とし、ランク２の遮断電力量を（Ｎ-Ｍ）２／１０とし、ランク３の遮断電力量を（Ｎ-Ｍ）３／１０とし、そして、ランク４の遮断電力量を（Ｎ-Ｍ）４／１０とする。
【００５７】
次に、遮断選定部１０４は、変数Ｌを１に設定する（Ｓ４１１）。それから、遮断選定部１０４は、遮断時間管理データ記憶部１２６から契約ランクがランクＬのテーブル１２６５を特定する（Ｓ４１２）。
【００５８】
次に、遮断選定部１０４は、変数ＳをランクＬに割り当てられた遮断電力量に設定する（Ｓ４１３）。それから、遮断選定部１０４は、ランクＬのテーブル１２６５の各レコード１２６０のフィールド１２６２に登録されている残り遮断時間が全て０以下であるか否かを調べる（Ｓ４１４）。残り遮断時間が全て０以下である場合（Ｓ４１４でＹＥＳ）、第１の非保証供給契約による電力供給を遮断することができる需要家がランクＬには存在しないことになる。この場合、ランクＬ＋１に割り当てる遮断電力量に変数Ｓを加算し（Ｓ４１５）、その後、Ｓ４２０に進む。一方、残り遮断時間が０以下でないものが含まれている場合（Ｓ４１４でＮＯ）、第１の非保証供給契約による電力供給を遮断することができる需要家がランクＬに存在することになる。この場合、遮断選定部１０４は、ランクＬのテーブル１２６５から最も残り遮断時間の大きいレコード（該レコードが複数ある場合はそのうちの一つ）１２６０を選択し、該レコード１２６０のフィールド１２６１に登録されている需要家ＩＤを持つ需要家を遮断先の需要家に選定し、メモリ等に記憶する（Ｓ４１６）。そして、遮断先に選定した需要家ＩＤを持つレコード１２６０のフィールド１２６２に登録されている残り遮断時間を当該残り遮断時間から指定期間を減算した値に更新する（Ｓ４１７）。また、遮断先に選定した需要家ＩＤに対応付けられている予想電力需要量を変数Ｓから減算する（Ｓ４１８）。
【００５９】
次に、遮断選定部１０４は、変数Ｓが０未満であるか否かを判断する（Ｓ４１９）。変数Ｓが０未満でない場合（Ｓ４１９でＮＯ）は、ランクＬに割り当てられた遮断電力量の需要家への引当てが終了していないと判断し、Ｓ４１４に戻る。一方、変数Ｓが０未満である場合（Ｓ４１９でＹＥＳ）は、ランクＬに割り当てられた遮断電力量の需要家への引当てが終了したと判断する。この場合、ランクＬが最もランクの低い契約ランクであるか否かを判断し（Ｓ４２０）、ランクＬよりもランクの低い契約ランクがあるならば（Ｓ４２０でＮＯ）、Ｌを１つインクリメントして（Ｓ４２１）、Ｓ４１３に戻る。一方、ランクＬが最もランクの低い契約ランクであるならば（Ｓ４２０でＹＥＳ）、Ｓ４１６で遮断先に選定された各需要家の需要家ＩＤおよび予想電力需要量を、指定期間と共に、制御内容決定部１０５に出力し（Ｓ４２２）、このフローを終了する。
【００６０】
図２に戻って説明を続ける。制御内容決定部１０５は、遮断先選定部１０４により遮断先に選定された各需要家への電源供給の制御内容を決定する。
【００６１】
図１４は、制御内容決定部１０５の動作フローを説明するための図である。このフローは、遮断先選定部１０４から指定期間および遮断先の各需要家の需要家ＩＤおよび予想電力需要量を受け取ることで開始される。
【００６２】
先ず、制御内容決定部１０５は、遮断先選定部１０４より受け取った遮断先需要家の需要家ＩＤおよび予想電力需要量の中から、未注目の遮断先需要家の需要家ＩＤおよび予想電力需要量に注目する（Ｓ５０１）。次に、制御内容決定部１０５は、注目した遮断先需要家の需要家ＩＤを持つテーブル１２３０を電力量計測データ記憶部１２３から検索する（Ｓ５０２）。
【００６３】
次に、制御内容決定部１０５は、検索したテーブル１２３５を用いて、計測期間と第１電力計３１４の計測値との対応関係を示す推移グラフ（関数）を生成する（Ｓ５０３）。例えば、少なくとも指定期間と該指定期間より直前の計測期間とを含む複数の連続する計測期間各々における過去の第１電力計３１４の計測値（但しヌルデータは除く）平均を算出する。例えば、指定期間が４月８日の場合、前年以前の４月８日における第１電力計３１４の計測値平均と、前年以前の４月７日における第１電力計３１４の計測値平均とを算出する。そして、この２つの連続する計測期間各々における過去の第１電力計３１４の計測値平均の推移を示すグラフを算出する。
【００６４】
それから、制御内容決定部１０５は、生成した推移グラフから指定期間の予想電力需要量を算出する（Ｓ５０４）。例えば、指定期間が４月８日の場合、検索したテーブル１２３５に登録されている該指定期間直前の計測期間（今年の４月７日）のレコード１２３０の第１電力計３１４の計測値と、該推移グラフが示す前年以前の該指定期間直前の計測期間（前年以前の４月７日）における第１電力計３１４の計測値平均との差分を求める。そして、求めた差分を、該推移グラフが示す前年以前の該指定期間（前年以前の４月８日）における第１電力計３１４の計測値平均に加算し、その加算結果を該指定期間（今年の４月８日）における供給保証電力対象負荷３３ａに対する予想電力需要量とする。
【００６５】
次に、制御内容決定部１０５は、遮断先選定部１０４より受信した、注目の遮断先需要家の予想電力需要量（指定期間における供給非保証電力対象負荷３３ｂに対する予想電力需要量）と、Ｓ５０４で算出した、注目の遮断先需要家の予想電力需要量（指定期間における供給保証電力対象負荷３３ａに対する予想電力需要量）と、需要家契約データ記憶部１２２に記憶されている、注目の遮断先需要家の需要家ＩＤを持つレコード１２２０のフィールド１２２３に登録されている第１保証契約内容とに基づいて、指定期間における供給非保証電力対象負荷３３ｂに対する電力供給を第１保証契約内容による電力供給で賄った場合における電力料金を算出する（Ｓ５０５）。
【００６６】
具体的には、第１保証契約内容に規定されている契約電力量をＡ、指定期間における供給保証電力対象負荷３３ａに対する予想電力需要量をＢ、そして、指定期間における供給非保証電力対象負荷３３ｂに対する予想電力需要量をＣとする。Ｂ＞Ａの場合は、第１保証契約内容に規定されている単位電力量当たりの超過料金をＣに乗算して、電力料金を算出する。また、（Ｂ＋Ｃ）≦Ａの場合は、第１保証契約内容に規定されている単位電力量当たりの使用料金をＣに乗算して、電力料金を算出する。また、Ｂ≦Ａ＜（Ｂ＋Ｃ）の場合は、第１保証契約内容に規定されている単位電力量当たりの使用料金をＡ-Ｂに乗算して求めた値と、第１保証契約内容に規定されている単位電力量当たりの超過料金をＢ＋Ｃ-Ａに乗算して求めた値とを合計して、電力料金を算出する。
【００６７】
次に、制御内容決定部１０５は、指定期間において供給非保証電力対象負荷３３ｂに対する第１非保証契約に基づく電力供給を遮断することの通知、指定期間における供給非保証電力対象負荷３３ｂに対する電力供給を第１保証契約に基づく電力供給で賄う場合に予想される当該供給非保証電力対象負荷３３ｂのための電力料金（Ｓ５０５で算出した電力料金）、および、指定期間における供給非保証電力対象負荷３３ｂに対する電力供給を第１保証契約に基づく電力供給で賄うか否かの問合せを含むメッセージを作成する。そして、作成したメッセージを、ネットワークＩＦ部１６０を介して、需要家契約データ記憶部１２２に記憶されている、注目の遮断先需要家の需要家ＩＤを持つレコード１２２０のフィールド１２２２に需要家情報として登録されている宛先へ送信する（Ｓ５０６）。
【００６８】
このメッセージは、ネットワーク５および注目の遮断先需要家の通信機器３２を介して、注目の遮断先需要家の端末３４に送信され、表示される。注目の遮断先需要家は、端末３４に表示されたメッセージを確認し、指定期間における供給非保証電力対象負荷３３ｂに対する電力供給を第１保証契約に基づく電力供給で賄うか否かを決定する。そして、端末３４は、決定内容を該メッセージに対する応答として遠隔制御装置１に返信する。
【００６９】
さて、制御内容決定部１０５は、遮断先選定部１０４より受け取った全ての遮断先需要家の需要家ＩＤおよび予想電力需要量に注目したならば（Ｓ５０７でＹＥＳ）、Ｓ５０８に進む。一方、注目していない遮断先需要家の需要家ＩＤおよび予想電力需要量があるならば（Ｓ５０７でＮＯ）、Ｓ５０１に戻る。
【００７０】
Ｓ５０８において、制御内容決定部１０５は、Ｓ５０６でメッセージを送信したいずれかの遮断先需要家の端末３４から該メッセージに対する応答を受信すると（Ｓ５０８でＹＥＳ）、該応答に示された内容に従い、当該遮断先需要家の供給非保証電力対象負荷３３ｂに対する電力供給の制御内容を決定する（Ｓ５０９）。
【００７１】
具体的には、該応答に示された、指定期間における供給非保証電力対象負荷３３ｂに対する電力供給を第１保証契約に基づく電力供給で賄うか否かの問合せに対する回答が「否」である場合、制御内容決定部１０５は、指定期間における供給非保証電力対象負荷３３ｂに対する電力供給を遮断する旨を決定する。一方、該回答が「是」である場合、制御内容決定部１０５は、指定期間における供給非保証電力対象負荷３３ｂに対する電力供給を、第１非保証契約による電力供給から第１保証契約による電力供給に切替える旨を決定する。
【００７２】
そして、制御内容決定部１０５は、該応答の送信元である遮断先需要家の需要家ＩＤを持つテーブル１２５５を制御状態管理データ記憶部１２５から検索し、検索したテーブル１２５５に、Ｓ５０９で決定した制御内容に応じたレコード１２５０を追加する（Ｓ５１０）。
【００７３】
具体的には、Ｓ５０９において指定期間における供給非保証電力対象負荷３３ｂに対する電力供給を遮断する旨を決定した場合、フィールド１２５１の予定日時を指定期間の開始日時とし、フィールド１２５２の対象機器を開閉器３１２とし、フィールド１２５３の制御内容を開（解放）操作とし、そして、フィールド１２５４の実施フラグを未実施とするレコード１２５０と、フィールド１２５１の予定日時を指定期間の終了日時とし、フィールド１２５２の対象機器を開閉器３１２とし、フィールド１２５３の制御内容を閉（短絡）操作とし、そして、フィールド１２５４の実施フラグを未実施とするレコード１２５０とを作成し、テーブル１２５０に追加する。
【００７４】
また、Ｓ５０９において指定期間における供給非保証電力対象負荷３３ｂに対する電力供給を第１非保証契約による電力供給から第２非保証契約による電力供給に切替える旨を決定した場合、フィールド１２５１の予定日時を指定期間の開始日時とし、フィールド１２５２の対象機器を開閉器３１２とし、フィールド１２５３の制御内容を開（解放）操作とし、そして、フィールド１２５４の実施フラグを未実施とするレコード１２５０と、フィールド１２５１の予定日時を指定期間の開始日時とし、フィールド１２５２の対象機器を切替器３１３とし、フィールド１２５３の制御内容を電力ラインｂから電力ラインａへの切替操作とし、そして、フィールド１２５４の実施フラグを未実施とするレコード１２５０と、フィールド１２５１の予定日時を指定期間の終了日時とし、フィールド１２５２の対象機器を開閉器３１２とし、フィールド１２５３の制御内容を閉（短絡）操作とし、そして、フィールド１２５４の実施フラグを未実施とするレコード１２５０と、フィールド１２５１の予定日時を指定期間の終了日時とし、フィールド１２５２の対象機器を切替器３１３とし、フィールド１２５３の制御内容を電力ラインａから電力ラインｂへの切替操作とし、そして、フィールド１２５４の実施フラグを未実施とするレコード１２５０とを作成し、テーブル１２５０に追加する。
【００７５】
次に、制御内容決定部１０５は、Ｓ５０６でメッセージを送信した全ての遮断先需要家の端末３４から該メッセージに対する応答を受信している場合（Ｓ５１１でＹＥＳ）、このフローを終了する。受信していない場合（Ｓ５１１でＮＯ）は、Ｓ５０８に戻る。
【００７６】
図２に戻って説明を続ける。制御命令送信部１０６は、制御状態管理データ記憶部１２５に従って、制御命令を需要家の通信機器３２に送信する。
【００７７】
図１５は、制御内容送信部１０６の動作フローを説明するための図である。
【００７８】
先ず、制御命令送信部１０６は、制御状態管理データ記憶部１２５の各テーブル１２５５に登録されているレコード１２５０の中から、現在日時がフィールド１２５１に登録されている予定日時に到達したレコード１２５０であって、フィールド１２５４に登録されている実施フラグが「未」のレコード１２５０を検索する（Ｓ６０１）。そのようなレコード１２５０があるならば（Ｓ６０１でＹＥＳ）、該レコード１２５０のフィールド１２５２に登録されている対象機器に対して、フィールド１２５３に登録されている制御内容を実施するための制御命令を生成する。また、該レコード１２５０が登録されているテーブル１２５５の需要家ＩＤを特定し、需要家契約データ記憶部１２２から特定した需要家ＩＤを持つレコード１２２０を検索する。そして、生成した制御命令を、ネットワークＩＦ部１６０を介して、検索したレコード１２２０のフィールド１２２２に需要家情報として登録されている宛先に送信する（Ｓ６０２）。それから、制御命令送信部１０６は、Ｓ６０１で検索したレコード１２５０のフィールド１２５４に登録されている実施フラグを「未」から「済」に変更し（Ｓ６０３）、Ｓ６０１に戻る。
【００７９】
上記構成の遠隔制御装置１は、例えば図１６に示すような、ＣＰＵ９０１と、メモリ９０２と、ＨＤＤ等の外部記憶装置９０３と、ＣＤ-ＲＯＭやＤＶＤ-ＲＯＭ等の可搬性を有する記憶媒体９０４から情報を読み出す読取装置９０５と、キーボードやマウスなどの入力装置９０６と、ディスプレイなどの出力装置９０７と、通信ネットワークに接続するための通信装置９０８と、を備えた一般的なコンピュータシステムにおいて、ＣＰＵ９０１がメモリ９０２上にロードされた所定のプログラムを実行することで実現できる。
【００８０】
この所定のプログラムは、読取装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読取装置９０５を介して記憶媒体９０４から、あるいは、通信装置９０８を介してネットワークから、メモリ９０２上に直接ロードされ、ＣＰＵ９０１により実行されるようにしてもよい。なお、この場合において、記憶部１２０には、メモリ９０２や外部記憶装置９０３や記憶媒体９０４が利用され、入出力部１４０には、入力装置９０６や出力装置９０７や読取装置９０５が利用され、ネットワークＩＦ部１６０には通信装置９０８が利用される。
【００８１】
以上、本発明の一実施形態について説明した。
【００８２】
本実施形態では、需要家毎に、開閉器３１２を供給非保証電力対象負荷３３ｂに対する電力ラインｂに設置し、これを売電家の遠隔制御装置１に接続する。売電家の遠隔制御装置１には、供給非保証発電家の予想発電量と、全需要家の供給非保証電力対象負荷３３ｂに対する予想電力需要量とが記憶される。そして、遠隔制御装置１は、供給非保証発電家の予想発電量と、全需要家の供給非保証電力対象負荷３３ｂに対する予想電力需要量とを比較し、全需要家の供給非保証電力対象負荷３３ｂに対する予想電力需要量が供給非保証発電家の予想発電量よりも大きい場合に、全需要家の供給非保証電力対象負荷３３ｂに対する予想電力需要量が発電家の予想発電量以下となるように、所定のルールに従って電力供給遮断先の需要家を選定し、選定した需要家の開閉器３１２を開かせて、電力ラインｂへの電力供給を遮断する。このため、本実施形態によれば、発電量が不安定な供給非保証発電家の発電システムの稼働率を上げると共に、該発電システムで発電された電力を効率利用することができる。
【００８３】
また、本実施形態では、複数のランク（契約ランク）を設けて各需要家をいずれかのランクに所属させ、ランク間で各需要家の許容遮断時間を異ならせると共に、同じランク内の各需要家の遮断時間（実績）が略同じになるように、電力供給遮断先の需要家を選定している。このため、同一ランクに属する複数の需要家の中から電力供給遮断先の需要家を構成に選択することができる。
【００８４】
また、本実施形態では、電力供給遮断先に選定された需要家にメッセージを送信して、供給非保証電力対象負荷３３ｂに対する電力供給を遮断するか、それとも、該電力供給を第１非保証供給契約から第１保証供給契約に切替えるかの問合せを、供給非保証電力対象負荷３３ｂに対する電力供給を第１保証供給契約に切替えた場合の電力料金を提示して行っている。そして、該問合せに対する応答に応じて供給非保証電力対象負荷３３ｂに対する電力供給を制御している。このようにすることで、需要家は、供給非保証電力対象負荷３３ｂに対する電力供給を遮断するか、それとも、第１非保証供給契約から第１保証供給契約に切替えるかの判断をより適切に行うことが可能となる。
【００８５】
ところで、本実施形態では、電力供給遮断先に選定された全ての需要家の供給非保証電力対象負荷３３ｂに対する電力供給を遮断、あるいは、第１非保証供給契約から第１保証供給契約に切替えた場合でも、これによってセーブされる第１非保証供給契約による電力量が、全需要家の供給非保証電力対象負荷３３ｂに対する予想電力需要量と供給非保証発電家の予想発電量との差分である不足電力量に満たない場合がある（図１３のＳ４１５からＳ４２０に移行する場合において、Ｌが最後の契約ランクである場合）。この場合、該不足電力量の残存部分は、売電家と第２保証供給契約を締結する供給保証発電家の発電プラントの電力が引当てられることになる。
【００８６】
なお、本発明は上記の実施形態に限定されるものではなく、その要旨の範囲内で数々の変形が可能である。例えば、遠隔制御装置１は、複数のコンピュータを用いて実現してもよい。
【図面の簡単な説明】
【００８７】
【図１】図１は本発明の一実施形態が適用された電力供給制御システムの概略図である。
【図２】図２は遠隔制御装置１の概略構成図である。
【図３】図３は売電家契約データ記憶部１２１の登録内容例を示す図である。
【図４】図４は需要家契約データ記憶部１２２の登録内容例を示す図である。
【図５】図５は電力量計測データ記憶部１２３の登録内容例を示す図である。
【図６】図６は発電計画データ記憶部１２４の登録内容例を示す図である。
【図７】図７は制御状態管理データ記憶部１２５の登録内容例を示す図である。
【図８】図８は遮断時間管理データ記憶部１２６の登録内容例を示す図である。
【図９】図９は電力量計測データ取得部１０１の動作フローを説明するための図である。
【図１０】図１０は電力量計測データ取得部１０２の動作フローを説明するための図である。
【図１１】図１１は予想電力需要量算出部１０３の動作フローを説明するための図である。
【図１２】図１２は遮断先選定部１０４の動作フローを説明するための図である。
【図１３】図１３は遮断先選定部１０４の動作フローを説明するための図である。
【図１４】図１４は制御内容決定部１０５の動作フローを説明するための図である。
【図１５】図１５は制御内容送信部１０６の動作フローを説明するための図である。
【図１６】図１６は遠隔制御装置１のハードウエア構成例を示す図である。
【符号の説明】
【００８８】
１…遠隔制御装置、４…電力系統、５…ネットワーク、２１ａ…発電プラント、２１ｂ…発電プラント、２２…端末、３１…切替システム、３２…通信機器、３３ａ…供給保証電力対象負荷、３３ｂ…供給非保証電力対象負荷、３４…端末、１００…演算部、１０１…電力量計測データ取得部、１０２…発電計画データ取得部、１０３…予想電力需要量算出部、１０４…遮断先選定部、１０５…制御内容決定部、１０６…制御命令送信部、１２０…記憶部、１２１…発電契約データ記憶部、１２２…需要家契約データ記憶部、１２３…電力計測データ記憶部、１２４…発電計画データ記憶部、１２５…制御状態管理データ記憶部、１２６…遮断時間管理データ記憶部、１４０…入出力部、１６０…ネットワークＩＦ部、３１１…分配器、３１２…開閉器、３１３…切替器、３１４…第１電力系、３１５…第２電力計
【図１】
2006352933.tif 000003
【図２】
2006352933.tif 000004
【図３】
2006352933.tif 000005
【図４】
2006352933.tif 000006
【図５】
2006352933.tif 000007
【図６】
2006352933.tif 000008
【図７】
2006352933.tif 000009
【図８】
2006352933.tif 000010
【図９】
2006352933.tif 000011
【図１０】
2006352933.tif 000012
【図１１】
2006352933.tif 000013
【図１２】
2006352933.tif 000014
【図１３】
2006352933.tif 000015
【図１４】
2006352933.tif 000016
【図１５】
2006352933.tif 000017
【図１６】
2006352933.tif 000018